(57)【要約】【課題】列車の接続を適切に行うことができる運行管理システムを提供する。【解決手段】処理部は、接続列車と被接続列車とが所定の駅で接続可能でないと判定した場合、所定の駅において被接続列車の停車時間と接続列車の停車時間とが所定の時間以上重なるように、被接続列車のダイヤ情報に基づいて変更ダイヤ情報を算出し、第１の運行管理装置および第２の運行管理装置のうち、被接続列車の運行を管理する運行管理装置にダイヤ変更問いかけ要求を送信し、運行管理装置は、ダイヤ変更問いかけ要求を受信すると、ユーザインターフェイス部を介して被接続列車のダイヤ情報を変更する承認が行われたか否かを判定し、承認が行われたと判定した場合、変更ダイヤ情報に従って被接続列車の運行を管理するようにした。【選択図】図１
2020032964.tif 000002
【特許請求の範囲】
【請求項１】
第１の路線における列車の運行を管理する第１の運行管理装置と、第２の路線における列車の運行を管理する第２の運行管理装置とを含んで構成される運行管理システムであって、
前記第１の路線の列車のダイヤ情報と前記第２の路線の列車のダイヤ情報とに基づいて、予定通りに到着しない路線の列車である接続列車と前記接続列車に接続される他の路線の列車である被接続列車とが所定の駅で接続可能であるか否かを判定する処理部を備え、
前記処理部は、前記接続列車と前記被接続列車とが前記所定の駅で接続可能でないと判定した場合、前記所定の駅において前記被接続列車の停車時間と前記接続列車の停車時間とが所定の時間以上重なるように、前記被接続列車のダイヤ情報に基づいて変更ダイヤ情報を算出し、前記第１の運行管理装置および前記第２の運行管理装置のうち、前記被接続列車の運行を管理する運行管理装置にダイヤ変更問いかけ要求を送信し、
前記運行管理装置は、ダイヤ変更問いかけ要求を受信すると、ユーザインターフェイス部を介して前記被接続列車のダイヤ情報を変更する承認が行われたか否かを判定し、承認が行われたと判定した場合、前記変更ダイヤ情報に従って前記被接続列車の運行を管理する、
ことを特徴とする運行管理システム。
【請求項２】
前記処理部は、前記接続列車の遅延時間と前記被接続列車の遅延時間との差分が所定の時間以内であるか否かを判定し、前記所定の時間以内であると判定した場合、前記接続列車と前記被接続列車とが前記所定の駅で接続可能であるか否かを判定する、
ことを特徴とする請求項１に記載の運行管理システム。
【請求項３】
前記第１の運行管理装置または前記第２の運行管理装置が前記処理部を備える、
ことを特徴とする請求項１に記載の運行管理システム。
【請求項４】
前記処理部は、前記第１の路線で列車が予定通りに到着しない際、前記第１の路線の列車である接続列車のダイヤ情報と前記第２の路線のダイヤ情報とに基づいて、被接続列車を特定し、特定した被接続列車のダイヤ情報を前記第２の運行管理装置に要求する、
ことを特徴とする請求項１に記載の運行管理システム。
【請求項５】
前記第１の路線および前記第２の路線に係る各駅の放送を制御する旅客案内装置と通信可能に接続され、
前記運行管理装置は、承認が行われたと判定した場合、前記接続列車と前記被接続列車とが前記所定の駅で接続される旨の放送をする指示を前記旅客案内装置に送信し、承認が行われなかったと判定した場合、前記接続列車と前記被接続列車とが前記所定の駅で接続されない旨の放送をする指示を前記旅客案内装置に送信する、
ことを特徴とする請求項１に記載の運行管理システム。
【発明の詳細な説明】
【技術分野】
【０００１】
本発明は運行管理システムに関し、例えば第１の路線における列車の運行と第２の路線における列車の運行とを管理する運行管理システムに適用して好適なものである。
【背景技術】
【０００２】
従来、運行管理システムにおいて、列車が接続駅で他路線との接続を行う場合、運行管理システムが各路線の接続列車の実施ダイヤ情報と実績ダイヤ情報とを入手し、到着予測時間から接続駅での他路線との接続の可否を判断し、トラブル、天候不良などの影響による列車遅延、ダイヤ変更などによる影響により、接続駅に予定通り到着しない場合でも、他路線との接続予定の列車に接続可能であるか否か判断できる（特許文献１、特許文献２参照）。
【先行技術文献】
【特許文献】
【０００３】
【特許文献１】特開２００４-１２２９００号公報
【特許文献２】特開２０１１-２５５７６６号公報
【発明の概要】
【発明が解決しようとする課題】
【０００４】
特許文献１または特許文献２に記載の技術によれば、列車の接続において列車が遅延した場合、旅客は、乗り継ぎ予定列車への乗り継ぎが可能であるか否かを判断することができる。一方、指令員は、接続列車が被接続列車と接続不可能と判定された場合、状況に応じて、被接続列車の路線へのダイヤ変更要求とその変更を実行する必要があり、特許文献１または特許文献２に記載の技術では、被接続列車のダイヤに係る変更においてミスが生じてしまう問題がある。
【０００５】
本発明は以上の点を考慮してなされたもので、列車の接続を適切に行うことができる運行管理システムを提案しようとするものである。
【課題を解決するための手段】
【０００６】
かかる課題を解決するため本発明においては、第１の路線における列車の運行を管理する第１の運行管理装置と、第２の路線における列車の運行を管理する第２の運行管理装置とを含んで構成される運行管理システムであって、前記第１の路線の列車のダイヤ情報と前記第２の路線の列車のダイヤ情報とに基づいて、予定通りに到着しない路線の列車である接続列車と前記接続列車に接続される他の路線の列車である被接続列車とが所定の駅で接続可能であるか否かを判定する処理部を備え、前記処理部は、前記接続列車と前記被接続列車とが前記所定の駅で接続可能でないと判定した場合、前記所定の駅において前記被接続列車の停車時間と前記接続列車の停車時間とが所定の時間以上重なるように、前記被接続列車のダイヤ情報に基づいて変更ダイヤ情報を算出し、前記第１の運行管理装置および前記第２の運行管理装置のうち、前記被接続列車の運行を管理する運行管理装置にダイヤ変更問いかけ要求を送信し、前記運行管理装置は、ダイヤ変更問いかけ要求を受信すると、ユーザインターフェイス部を介して前記被接続列車のダイヤ情報を変更する承認が行われたか否かを判定し、承認が行われたと判定した場合、前記変更ダイヤ情報に従って前記被接続列車の運行を管理するようにした。
【０００７】
上記構成では、運行管理装置は、被接続列車のダイヤ情報を変更する承認が行われたか否かを判定し、承認が行われたと判定した場合、変更ダイヤ情報に従って被接続列車の運行を管理するので、例えば、スムーズかつ正確に列車の接続を行うことができるようになる。
【発明の効果】
【０００８】
本発明によれば、信頼性の高い運行管理システムを実現することができる。
【図面の簡単な説明】
【０００９】
【図１】第１の実施の形態による運行管理システムに係る構成の一例を示す図である。
【図２】第１の実施の形態による運行管理システムにおける路線のイメージ図である。
【図３】第１の実施の形態による接続に係る処理の一例を示す図である。
【図４】第２の実施の形態による運行管理システムに係る構成の一例を示す図である。
【図５】第２の実施の形態による接続に係る処理の一例を示す図である。
【図６】第３の実施の形態による接続に係る処理の一例を示す図である。
【図７】第４の実施の形態による運行管理システムに係る構成の一例を示す図である。
【発明を実施するための形態】
【００１０】
以下図面について、本発明の一実施の形態を詳述する。
【００１１】
（１）第１の実施の形態
図１において、１００は全体として第１の実施の形態による運行管理システムを示す。運行管理システム１００は、統合管理装置１１０、路線Ａ運行管理装置１２０、および路線Ｂ運行管理装置１３０を含んで構成される。
【００１２】
統合管理装置１１０は、路線Ａの列車と路線Ｂの列車との接続（所定の駅での乗り換え、所定の駅での乗り継ぎ等）を支援するための装置である。本実施の形態では、路線Ａの列車と路線Ｂの列車とが所定の駅（例えば、後述の接続駅２３０）で接続が行われるケースにおいて、路線Ａの列車が遅延した場合を例に挙げて説明する。なお、以下では、遅延している路線Ａの列車を接続列車、接続列車に接続される路線Ｂの列車を被接続列車と適宜称する。また、所定の駅で接続する列車の組を接続列車ペアと適宜称する。
【００１３】
統合管理装置１１０は、サーバ装置などのコンピュータであり、処理部１１１、ダイヤ情報記憶部１１２、および通信制御部１１３を備える。
【００１４】
より具体的には、統合管理装置１１０は、ＣＰＵ（Central Processing Unit）と、ＲＡＭ（Random Access Memory）、ＲＯＭ（Read Only Memory）、ＨＤＤ（Hard Disk Drive）等のメモリと、通信装置とを含んで構成される。
【００１５】
統合管理装置１１０の機能（例えば、処理部１１１）は、例えば、ＣＰＵがＲＯＭに格納されたプログラムをＲＡＭに読み出して実行すること（ソフトウェア）により実現されてもよいし、専用の回路などのハードウェアにより実現されてもよいし、ソフトウェアとハードウェアとが組み合わされて実現されてもよい。また、統合管理装置１１０の機能の一部は、統合管理装置１１０と通信可能な他のコンピュータにより実現されてもよい。
【００１６】
処理部１１１は、例えば、路線Ａ（第１の路線の一例）の列車のダイヤ情報と路線Ｂ（第２の路線の一例）の列車のダイヤ情報とに基づいて、列車の遅延、ダイヤ変更などによる影響により、予定通りに到着しない路線の列車である接続列車と接続列車に接続される他の路線の列車である被接続列車とが所定の駅で接続可能であるか否かを判定する。なお、処理部１１１の具体的な処理については、図３を用いて後述する。
【００１７】
ダイヤ情報記憶部１１２は、例えば、路線Ａ運行管理装置１２０から受信したダイヤ情報、路線Ｂ運行管理装置１３０から受信したダイヤ情報を記憶する。ここで、ダイヤ情報は、実施ダイヤ情報、運転整理ダイヤ情報、実績ダイヤ情報などである。実施ダイヤ情報は、基本計画を基に作成される日々の運行計画（運転計画）に係るダイヤ情報である。運転整理ダイヤ情報は、実施ダイヤ情報が運転整理により変更されたときのダイヤ情報である。実績ダイヤ情報は、列車の運行実績を示すダイヤ情報である。
【００１８】
通信制御部１１３は、例えば、ＮＩＣ（Network Interface Card）から構成され、路線Ａ運行管理装置１２０との通信時におけるプロトコル制御を行ったり、路線Ｂ運行管理装置１３０との通信時におけるプロトコル制御を行ったりする。
【００１９】
路線Ａ運行管理装置１２０は、路線Ａの列車の運行を管理するための装置である。路線Ａ運行管理装置１２０は、サーバ装置などのコンピュータであり、処理部１２１、ダイヤ情報記憶部１２２、通信制御部１２３、およびユーザインターフェイス部１２４を備える。
【００２０】
より具体的には、路線Ａ運行管理装置１２０は、ＣＰＵと、ＲＡＭ、ＲＯＭ、ＨＤＤ等のメモリと、通信装置と、マンマシンとを含んで構成される。なお、マンマシンは、人間と機器との間の伝達を行う装置であり、液晶ディスプレイ、ポインティングデバイス、ボタン、レバー、メーターなどである。
【００２１】
路線Ａ運行管理装置１２０の機能（例えば、処理部１２１）は、例えば、ＣＰＵがＲＯＭに格納されたプログラムをＲＡＭに読み出して実行すること（ソフトウェア）により実現されてもよいし、専用の回路などのハードウェアにより実現されてもよいし、ソフトウェアとハードウェアとが組み合わされて実現されてもよい。また、路線Ａ運行管理装置１２０の機能の一部は、路線Ａ運行管理装置１２０と通信可能な他のコンピュータにより実現されてもよい。
【００２２】
ダイヤ情報記憶部１２２は、例えば、路線Ａの列車のダイヤ情報（接続列車の実施ダイヤ情報、接続列車の運転整理ダイヤ情報、接続列車の実績ダイヤ情報など）を記憶する。
【００２３】
通信制御部１２３は、例えばＮＩＣから構成され、統合管理装置１１０との通信時におけるプロトコル制御を行う。
【００２４】
例えば、処理部１２１は、ダイヤ情報記憶部１２２から接続列車の現在ダイヤ情報と実績ダイヤ情報とを読み出し、通信制御部１２３を介して統合管理装置１１０に送信する。なお、実施ダイヤ情報と運転整理ダイヤ情報との区別を要しないときは、現在ダイヤ情報と適宜称する。
【００２５】
ユーザインターフェイス部１２４は、例えば、機械の状態（例えば、路線Ａ運行管理装置１２０が処理した情報）を人間に理解させたり、人間（例えば、指令員）の要求を路線Ａ運行管理装置１２０に伝達したりする。
【００２６】
路線Ｂ運行管理装置１３０は、路線Ｂの列車の運行を管理するための装置である。路線Ｂ運行管理装置１３０は、サーバ装置などのコンピュータであり、処理部１３１、ダイヤ情報記憶部１３２、通信制御部１３３、およびユーザインターフェイス部１３４を備える。
【００２７】
より具体的には、路線Ｂ運行管理装置１３０は、ＣＰＵと、ＲＡＭ、ＲＯＭ、ＨＤＤ等のメモリと、通信装置と、マンマシンとを含んで構成される。
【００２８】
路線Ｂ運行管理装置１３０の機能（例えば、処理部１３１）は、例えば、ＣＰＵがＲＯＭに格納されたプログラムをＲＡＭに読み出して実行すること（ソフトウェア）により実現されてもよいし、専用の回路などのハードウェアにより実現されてもよいし、ソフトウェアとハードウェアとが組み合わされて実現されてもよい。また、路線Ｂ運行管理装置１３０の機能の一部は、路線Ｂ運行管理装置１３０と通信可能な他のコンピュータにより実現されてもよい。
【００２９】
ダイヤ情報記憶部１３２は、例えば、路線Ｂの列車のダイヤ情報（被接続列車の実施ダイヤ情報、被接続列車の運転整理ダイヤ情報、被接続列車の実績ダイヤ情報など）を記憶する。
【００３０】
通信制御部１３３は、例えばＮＩＣから構成され、統合管理装置１１０との通信時におけるプロトコル制御を行う。
【００３１】
例えば、処理部１３１は、ダイヤ情報記憶部１３２から被接続列車の現在ダイヤ情報と実績ダイヤ情報とを読み出し、通信制御部１３３を介して統合管理装置１１０に送信する。
【００３２】
ユーザインターフェイス部１３４は、例えば、機械の状態（例えば、路線Ｂ運行管理装置１３０が処理した情報）を人間に理解させたり、人間（例えば、指令員）の要求を路線Ｂ運行管理装置１３０に伝達したりする。
【００３３】
上述した構成において、統合管理装置１１０は、通信制御部１１３を介して、路線Ａ運行管理装置１２０から、接続列車の現在ダイヤ情報および実績ダイヤ情報を受信すると、ダイヤ情報記憶部１１２に記憶する。また、統合管理装置１１０は、路線Ｂ運行管理装置１３０から被接続列車の現在ダイヤ情報および実績ダイヤ情報を受信すると、ダイヤ情報記憶部１１２に記憶する。
【００３４】
また、統合管理装置１１０は、路線Ａの接続列車の現在ダイヤ情報および実績ダイヤ情報と、路線Ｂの被接続列車の現在ダイヤ情報および実績ダイヤ情報とに基づいて、被接続列車の変更ダイヤ情報（接続を実現するために現在ダイヤ情報を変更したダイヤ情報）を作成し、ダイヤ情報記憶部１１２に保存する。
【００３５】
また、統合管理装置１１０は、被接続列車の変更ダイヤ情報を作成すると、路線Ｂ運行管理装置１３０にダイヤ変更問いかけ要求を送信する。路線Ｂ運行管理装置１３０は、ダイヤ変更問いかけ要求を受信すると、ダイヤ変更問いかけ要求をユーザインターフェイス部１３４に通知し、ユーザインターフェイス部１３４を介してダイヤ変更が承認された場合、被接続列車の変更ダイヤ情報を取得し、路線Ｂのダイヤ情報記憶部１３２の被接続列車の現在ダイヤ情報を書き換える。
【００３６】
なお、統合管理装置１１０は、路線Ａ運行管理装置１２０と直接接続されていてもよいし、ネットワークを介して路線Ａ運行管理装置１２０と接続されていてもよい。また、統合管理装置１１０は、路線Ｂ運行管理装置１３０と直接接続されていてもよいし、ネットワークを介して路線Ｂ運行管理装置１３０と接続されていてもよい。
【００３７】
図２は、運行管理システム１００における路線のイメージ図である。図２では、例えば、路線Ａ２１０の列車２１１の乗客と路線Ｂ２２０の列車２２１の乗客とは、接続駅２３０で相互に他の路線の列車に乗り換え可能（乗り継ぎ可能）であることが示されている。なお、本実施の形態は、図２に示す路線の形態に限られるものではない。
【００３８】
図３は、運行管理システム１００の各装置（統合管理装置１１０、路線Ａ運行管理装置１２０、路線Ｂ運行管理装置１３０）における動作（接続に係る処理）の一例を示す図である。
【００３９】
路線Ａ運行管理装置１２０は、路線Ａに係る各列車のダイヤ情報（現在ダイヤ情報および実績ダイヤ情報）を統合管理装置１１０に所定のタイミングで（例えば、遅延を監視する駅に到着したときに、所定の位置に到達したときに、定期的に）送信する（ステップＳ３０１）。
【００４０】
路線Ｂ運行管理装置１３０は、路線Ｂに係る各列車のダイヤ情報（現在ダイヤ情報および実績ダイヤ情報）を統合管理装置１１０に所定のタイミングで（例えば、遅延を監視する駅に到着したときに、所定の位置に到達したときに、定期的に）送信する（ステップＳ３０２）。
【００４１】
統合管理装置１１０は、路線Ａ運行管理装置１２０から受信した現在ダイヤ情報および実績ダイヤと、路線Ｂ運行管理装置１３０から受信した現在ダイヤ情報および実績ダイヤとに基づいて、接続列車ペアの遅延時間の算出を行う（ステップＳ３０３）。なお、接続列車ペアの情報については、統合管理装置１１０に予め記憶されていてもよいし、路線Ａ運行管理装置１２０の実施ダイヤと路線Ｂ運行管理装置１３０の実施ダイヤとから求められてもよい。
【００４２】
例えば、統合管理装置１１０は、接続列車ペアである路線Ａの列車２１１と路線Ｂの列車２２１とについて、路線Ａ運行管理装置１２０の現在ダイヤ情報および実績ダイヤから路線Ａの列車２１１の遅延時間を算出し、路線Ｂ運行管理装置１３０の現在ダイヤ情報および実績ダイヤから路線Ｂの列車２２１の遅延時間を算出する。なお、統合管理装置１１０は、実施ダイヤ情報と実績ダイヤとの差を遅延時間として算出してもよいし、運転整理ダイヤ情報と実績ダイヤとの差を遅延時間として算出してもよい。
【００４３】
続いて、統合管理装置１１０は、各遅延時間の差分が所定の時間（例えば、遅延が５分）以内であるか否かを判定する（ステップＳ３０４）。統合管理装置１１０は、所定の時間以内であると判定した場合、ステップＳ３０５に処理を移し、所定の時間を超えると判定した場合、接続に係る処理を終了する。かかる判定によれば、簡易的な計算により、遅延が大きいと判定した場合、接続に係る処理を迅速に終了することができるようになる。なお、本実施の形態は、上述の内容に限られるものではなく、ステップＳ３０４の判定を省略してもよい。
【００４４】
また、本実施の形態は、上述の処理に限られるものではない。例えば、統合管理装置１１０は、ダイヤ情報に基づいて接続列車が終電列車であるか否かを判定し、終電電車であると判定した場合、各遅延時間の差分が、所定の時間よりも長い特定の時間（例えば、１０分）を超えるとき、接続列車の接続を行わずに処理を終了し、特定の時間以内であるとき、ステップＳ３０５に処理を移すようにしてもよい。
【００４５】
ステップＳ３０５では、統合管理装置１１０は、接続列車ペアの各列車の到着予測時間および出発予測時間を算出する。例えば、統合管理装置１１０は、現在ダイヤ情報と遅延時間とに基づいて到着予測時間を算出し、現在ダイヤ情報（停車時間）と到着予測時間とに基づいて出発予測時間を算出する。
【００４６】
続いて、統合管理装置１１０は、接続列車ペアの到着予測時間と出発予測時間とに基づいて、接続可能であるか否かを判定する（ステップＳ３０６）。統合管理装置１１０は、接続可能であると判定した場合、接続に係る処理を終了し、接続可能でないと判定した場合、ステップＳ３０７に処理を移す。例えば、統合管理装置１１０は、接続駅２３０への列車２１１（接続列車）の到着予測時間から列車２２１（被接続列車）の出発予測時間の範囲が所定の時間（例えば、２分）以上重なる場合、接続可能であると判定する。
【００４７】
また、本実施の形態は、上述の処理に限られるものではない。例えば、統合管理装置１１０は、ダイヤ情報に基づいて接続列車が終電列車であるか否かを判定し、終電電車であると判定した場合、接続列車の到着予測時間から被接続列車の出発予測時間の範囲が、所定の時間よりも長い特定の時間（例えば、５分）以上重なるとき、接続可能であると判定するようにしてもよい。
【００４８】
続いて、統合管理装置１１０は、接続列車の到着予測時間および出発予測時間と被接続列車の現在ダイヤ情報および実績ダイヤ情報とに基づいて、被接続列車の変更ダイヤ情報を算出する（ステップＳ３０７）。例えば、統合管理装置１１０は、列車２１１（接続列車）の接続駅２３０での停車時間と列車２２１（被接続列車）の接続駅２３０での停車時間とが所定の時間（例えば、２分）以上重なるように、被接続列車の変更ダイヤ情報を生成する。
【００４９】
続いて、統合管理装置１１０は、ダイヤ変更問いかけ要求を路線Ｂ運行管理装置１３０に送信する（ステップＳ３０８）。
【００５０】
路線Ｂ運行管理装置１３０は、ダイヤ変更問いかけ処理を行う（ステップＳ３０９）。ダイヤ変更問いかけ処理では、例えば、路線Ｂ運行管理装置１３０は、マンマシンに問いかけを上げる（ユーザインターフェイス部１３４を介してダイヤ変更の承認を受け付ける）。
【００５１】
なお、本実施の形態は、上述の処理に限られるものではない。例えば、統合管理装置１１０は、ステップＳ３０８の処理を行ってから、ステップＳ３０７の処理を行ってもよい。かかる処理によれば、例えば、ダイヤ変更問いかけ処理が行われている間に、変更ダイヤ情報を生成できるので、処理時間を短縮できるようになる。
【００５２】
路線Ｂ運行管理装置１３０は、ダイヤ変更が承認されたか否かを判定する（ステップＳ３１０）。路線Ｂ運行管理装置１３０は、承認されたと判定した場合、ステップＳ３１１に処理を移し、承認されなかったと判定した場合、接続に係る処理を終了する。
【００５３】
ステップＳ３１１では、路線Ｂ運行管理装置１３０は、統合管理装置１１０から変更ダイヤ情報を取得する。
【００５４】
続いて、路線Ｂ運行管理装置１３０は、被接続列車のダイヤ変更処理を行い（ステップＳ３１２）、接続に係る処理を終了する。ダイヤ変更処理では、例えば、路線Ｂ運行管理装置１３０は、列車２２１（被接続列車）の現在ダイヤ情報を変更ダイヤ情報で更新し、変更ダイヤ情報に従って列車２２１の運行を管理する。
【００５５】
このように、処理部１１１は、接続列車と被接続列車とが所定の駅で接続可能でないと判定した場合、所定の駅において被接続列車の停車時間と接続列車の停車時間とが所定の時間以上重なるように、被接続列車のダイヤ情報に基づいて変更ダイヤ情報を算出する。また、処理部１１１は、路線Ａ運行管理装置１２０（第１の運行管理装置の一例）および路線Ｂ運行管理装置１３０（第２の運行管理装置の一例）のうち、被接続列車の運行を管理する運行管理装置にダイヤ変更問いかけ要求を送信する。当該運行管理装置は、ダイヤ変更問いかけ要求を受信すると、ユーザインターフェイス部（ユーザインターフェイス部１２４、ユーザインターフェイス部１３４等）を介して被接続列車のダイヤ情報を変更する承認が行われたか否かを判定し、承認が行われたと判定した場合、変更ダイヤ情報に従って被接続列車の運行を管理する。
【００５６】
本実施の形態によれば、接続列車ペアについて接続可能であるか否かが自動で判定され、承認の問いかけが自動で行われ、承認が行われたときは、変更ダイヤ情報に従って被接続列車の運行が管理されるので、スムーズかつ正確に列車の接続を行うことができるようになる。
【００５７】
また、承認の問いかけまでの処理時間を短縮することで、承認の判断を遅らすことができるようになるので、承認後にダイヤ変更が更に発生してしまう事態を回避できるようになる。
【００５８】
（２）第２の実施の形態
本実施の形態は、第１の実施の形態とは、統合管理装置１１０が設けられていない点が主に異なる。本実施の形態では、統合管理装置１１０の機能を所定の路線の運行管理装置が備える。
【００５９】
図４は、運行管理システム４００に係る構成の一例を示す図である。運行管理システム４００は、路線Ａ運行管理装置４１０および路線Ｂ運行管理装置４２０を含んで構成される。以下では、統合管理装置１１０で行われる処理を路線Ａ運行管理装置４１０で行う場合について説明する。なお、路線Ａ運行管理装置４１０の構成（処理部４１１、ダイヤ情報記憶部４１２、通信制御部４１３、ユーザインターフェイス部４１４）は、基本的に、路線Ａ運行管理装置１２０の構成（処理部１２１、ダイヤ情報記憶部１２２、通信制御部１２３、ユーザインターフェイス部１２４）と同様であるので、その説明については省略する。また、路線Ｂ運行管理装置４２０の構成（処理部４２１、ダイヤ情報記憶部４２２、通信制御部４２３、ユーザインターフェイス部４２４）は、基本的に、路線Ｂ運行管理装置１３０の構成（処理部１３１、ダイヤ情報記憶部１３２、通信制御部１３３、ユーザインターフェイス部１３４）と同様であるので、その説明については省略する。
【００６０】
図５は、運行管理システム４００の各装置（路線Ａ運行管理装置４１０、路線Ｂ運行管理装置４２０）における動作（接続に係る処理）の一例を示す図である。
【００６１】
路線Ｂ運行管理装置４２０は、ダイヤ情報を路線Ａ運行管理装置４１０に所定のタイミングで送信する（ステップＳ５０１）。
【００６２】
続いて、路線Ａ運行管理装置４１０は、ステップＳ５０２〜ステップＳ５０７の処理を行う。ステップＳ５０２〜ステップＳ５０７の処理は、ステップＳ３０３〜ステップＳ３０８の処理と同様であるので、その説明を省略する。
【００６３】
続いて、路線Ｂ運行管理装置４２０は、ステップＳ５０８〜ステップＳ５１１の処理を行う。ステップＳ５０８〜ステップＳ５１１の処理は、ステップＳ３０９〜ステップＳ３１２の処理と同様であるので、その説明を省略する。
【００６４】
本実施の形態によれば、路線Ａ運行管理装置４１０または路線Ｂ運行管理装置４２０において、接続列車ペアについて接続可能であるか否かが自動で判定され、承認の問いかけが自動で行われ、承認が行われたときは、変更ダイヤ情報に従って被接続列車の運行が管理されるので、統合管理装置１１０を新たに設けることなく、スムーズかつ正確に列車の接続を行うことができるようになる。
【００６５】
（３）第３の実施の形態
本実施の形態は、第１の実施の形態とは、列車に遅延が生じたこと、またはダイヤ変更が行われたことなどにより、予定通りに列車が到着しないことを契機として、接続に係る処理が行われる点が主に異なる。本実施の形態では、第１の実施の形態と同じ構成については、同じ符号を用いて、その説明を適宜省略する。以下では、路線Ａの列車に遅延が発生したケースを例に挙げて説明する。
【００６６】
図６は、接続に係る処理の一例を示す図である。
【００６７】
路線Ａ運行管理装置１２０は、予定通りに列車が到着しないと判定した場合（例えば、実施ダイヤ情報と実績ダイヤ情報とに基づいて、当該列車の遅延時間が所定の時間を超えると判定した場合）、路線Ａの列車（接続列車）のダイヤ情報を統合管理装置１１０に送信する（ステップＳ６０１）。
【００６８】
統合管理装置１１０は、路線Ｂの列車のダイヤ情報と接続列車のダイヤ情報とに基づいて、接続列車に対応する被接続列車を抽出する（ステップＳ６０２）。例えば、統合管理装置１１０は、路線Ｂの列車の実施ダイヤ情報と接続列車の実施ダイヤ情報とに基づいて、接続列車に対応する被接続列車を抽出（特定）する。なお、統合管理装置１１０は、例えば、夜間のバッチ処理により、路線Ａの列車の実施ダイヤ情報と路線Ｂの列車の実施ダイヤ情報とを事前に記憶する。
【００６９】
統合管理装置１１０は、被接続列車のダイヤ情報要求を路線Ｂ運行管理装置１３０に送信する（ステップＳ６０３）。
【００７０】
路線Ｂ運行管理装置１３０は、被接続列車のダイヤ情報を統合管理装置１１０に送信する（ステップＳ６０４）。
【００７１】
以降、ステップＳ３０３〜ステップＳ３１２の処理が行われるが、第１の実施の形態で説明した処理と同じであるので、その説明を省略する。
【００７２】
このように、運行管理システム１００は、路線Ａ（第１の線区）の列車を制御する路線Ａ運行管理装置１２０と、路線Ｂ（第２の線区）の列車を制御する路線Ｂ運行管理装置１３０と、路線Ａ運行管理装置１２０および路線Ｂ運行管理装置１３０のダイヤ情報を参照する統合管理装置１１０とを備える。統合管理装置１１０は、路線Ａおよび路線Ｂの列車の運行計画である路線Ａのダイヤ情報（第１のダイヤ情報の一例）および路線Ｂのダイヤ情報（第２のダイヤ情報の一例）を記憶する。また、統合管理装置１１０は、路線Ａのダイヤ情報および路線Ｂのダイヤ情報を参照し、路線Ａおよび路線Ｂの間で接続が可能な駅である接続駅において、路線Ｂの列車であって路線Ａの列車が接続できる列車である被接続列車を抽出する。また、統合管理装置１１０は、路線Ａの列車の接続駅への到着予測時間と被接続列車の接続駅からの出発予測時間とを既定の時間内にする路線Ｂのダイヤ情報である変更ダイヤ情報を生成し、生成した変更ダイヤ情報を路線Ｂ運行管理装置１３０に送信する。路線Ｂ運行管理装置１３０は、変更ダイヤ情報に従って列車を運行することを認めるか否かを判断し、その判断の結果、変更ダイヤ情報に従って列車を運行することを認めた場合、路線Ｂの列車のダイヤ情報を変更ダイヤ情報に従って変更する。
【００７３】
本実施の形態によれば、各路線の列車の運行を常に監視することなく、接続に係る処理が行われるので、装置間の通信を抑えつつ、スムーズかつ正確に列車の接続を行うことができるようになる。
【００７４】
（４）第４の実施の形態
本実施の形態は、第１の実施の形態とは、列車の接続（ダイヤ変更）が行われることが駅で放送（報知）される点が主に異なる。なお、第１の実施の形態と同じ構成については、同じ符号を用いて、その説明を適宜省略する。
【００７５】
図７は、運行管理システム１００に係る構成の一例を示す図である。運行管理システム１００は、旅客案内装置７１０と通信可能に接続される。旅客案内装置７１０は、運行管理システム１００に係る路線に設けられる各駅７２０における放送を制御可能に構成される。
【００７６】
図７の（Ａ）は、ダイヤ変更が承認されたときのダイヤ情報の一例を示す図である。被接続列車の現在ダイヤ７３１が変更された変更ダイヤ７３２と接続列車の現在ダイヤ７３３とが所定の時間以上重なること（接続可能であること）が示されている。
【００７７】
図７の（Ｂ）は、ダイヤ変更が承認されなかったときのダイヤ情報の一例を示す図である。被接続列車の現在ダイヤ７３４が変更ダイヤ７３５に更新されず、現在ダイヤ７３４と接続列車の現在ダイヤ７３６とが所定の時間以上重なならないこと（接続可能でないこと）が示されている。
【００７８】
本実施の形態では、路線Ｂ運行管理装置１３０は、ステップＳ３１０において、承認されたと判定した場合、接続が行われる旨の案内放送要求を旅客案内装置７１０に送信し、ステップＳ３１１に処理を移す。旅客案内装置７１０は、接続が行われる旨の案内放送要求を受信すると、接続が行われる旨を放送する指示を各駅７２０に送信する。各駅７２０では、接続が行われる旨が放送される。また、路線Ｂ運行管理装置１３０は、承認されなかったと判定した場合、接続が行われない旨の案内放送要求を旅客案内装置７１０に送信し、接続に係る処理を終了する。旅客案内装置７１０は、接続が行われない旨の案内放送要求を受信すると、接続が行われない旨を放送する指示を各駅７２０に送信する。各駅７２０では、接続が行われない旨が放送される。なお、上述の処理については、路線Ｂ運行管理装置１３０に替えて統合管理装置１１０が行うようにしてもよい。
【００７９】
本実施の形態によれば、列車の接続が行われる旨の放送または列車の接続が行われない旨の放送が各駅７２０で行われるので、旅客は、列車の接続が行われるか否かを即座に判断することができようなる。例えば、旅客は、列車の接続が行われない旨の放送を受けた場合、経路を変更して目的の駅まで移動できるかを検討できるようになる。
【００８０】
（５）他の実施の形態
なお上述の実施の形態においては、本発明を運行管理システムに適用するようにした場合について述べたが、本発明はこれに限らず、この他種々のシステム、装置、方法、プログラムに広く適用することができる。
【００８１】
また上述の実施の形態においては、ステップＳ３０８では、統合管理装置１１０は、ダイヤ変更問いかけ要求を路線Ｂ運行管理装置１３０に送信する場合について述べたが、本発明はこれに限らず、ステップＳ３０８では、統合管理装置１１０は、ダイヤ変更問いかけ要求に替えて、ステップＳ３０７で算出した変更ダイヤ情報を路線Ｂ運行管理装置１３０に送信するようにしてもよい（変更ダイヤ情報がダイヤ変更問いかけ要求を兼ねてもよい。）。また、例えば、ステップＳ３０８では、統合管理装置１１０は、ステップＳ３０７で算出した変更ダイヤ情報とダイヤ変更問いかけ要求とを路線Ｂ運行管理装置１３０に送信するようにしてもよい。また、例えば、ステップＳ３０８では、統合管理装置１１０は、ステップＳ３０３で算出した遅延時間とダイヤ変更問いかけ要求とを路線Ｂ運行管理装置１３０に送信するようにしてもよい。また、例えば、ステップＳ３０８では、統合管理装置１１０は、ステップＳ３０５で算出した到着予測時間および出発予測時間とダイヤ変更問いかけ要求とを路線Ｂ運行管理装置１３０に送信するようにしてもよい。かかる情報を路線Ｂ運行管理装置１３０に送信することで、指令員は、状況を正確かつ迅速に把握して承認することができるようになる。
【００８２】
また上述の実施の形態においては、統合管理装置１１０で行っていた処理を路線Ａ運行管理装置４１０で行う場合について述べたが、本発明はこれに限らず、統合管理装置１１０で行っていた処理を路線Ｂ運行管理装置４２０で行うようにしてもよい。
【００８３】
また、上記の説明において各機能を実現するプログラム、テーブル、ファイル等の情報は、メモリや、ハードディスク、ＳＳＤ（Solid State Drive）等の記憶装置、または、ＩＣカード、ＳＤカード、ＤＶＤ等の記録媒体に置くことができる。
【００８４】
また上述した構成については、本発明の要旨を超えない範囲において、適宜に、変更したり、組み替えたり、組み合わせたり、省略したりしてもよい。
【００８５】
上述した構成によれば、信頼性の高い運行管理システムを実現することができる。
【符号の説明】
【００８６】
１００……運行管理システム、１１０……統合管理装置、１２０……路線Ａ運行管理装置、１３０……路線Ｂ運行管理装置。
【図１】
2020032964.tif 000003
【図２】
2020032964.tif 000004
【図３】
2020032964.tif 000005
【図４】
2020032964.tif 000006
【図５】
2020032964.tif 000007
【図６】
2020032964.tif 000008
【図７】
2020032964.tif 000009